(57)【要約】      （修正有）【課題】アンカーボルトを地面に対して垂直に支持するアンカーボルト支持具を提供する。【解決手段】地面に配置され、水平方向が調整可能に配置された基台と、基台と連結し、かつ基台から下方に伸長し、アンカーボルトと接続可能な複数の棒部材と、を備える。棒部材は、自身の長さを調整する手段を有する。【選択図】図２
0003156998.tif 000002
【実用新案登録請求の範囲】
【請求項１】
地面に形成された穴の内部にアンカーボルトを地面から吊り下げて支持するアンカーボルト支持具であって、
地面に配置され、水平方向が調整可能に配置された基台と、
前記基台と連結し、かつ該基台から下方に伸長し、アンカーボルトと接続可能な複数の棒部材と、
を備え、
前記棒材は、自身の長さを調整する手段を有すること特徴とするアンカーボルト支持具。
【考案の詳細な説明】
【技術分野】
【０００１】
本考案は、ベースプレート式柱状構造物を地中で支えるための基礎となる４本のアンカーボルトを、コンクリートが打設されるまで、地面に対して垂直に支持しておくための用具に関する。
【背景技術】
【０００２】
ベースプレート式柱状構造物を地中で支える基礎となる４本のアンカーボルトの設置工事において、従来は、アンカーボルトを水平面に垂直に設置するために、上部から針金等で吊ったり、外枠に貫通させた棒と溶接して固定したりする方法が採られてきた。
【先行技術文献】
【特許文献】
【０００３】
特開２００３−３０６９４６号
【考案の開示】
【考案が解決しようとする課題】
【０００４】
ベースプレート式柱状構造物の基礎であるアンカーボルト埋設作業において、従来の構造では、時間のかかる作業であったが、より短時間で効率良く作業が進められる構造を提唱する必要性があった。
【０００５】
本考案は上記の問題を考慮して創案されたものであり、本考案の目的は、コンクリートが地中に打設されるまでの作業として、アンカーボルトを地中に固定しておく際に、極めて容易で且つ作業時間の短縮も可能とするアンカーボルト支持具を提供することである。
【課題を解決するための手段】
【０００６】
上記課題を解決するための請求項１の考案は、地面に形成された穴の内部にアンカーボルトを地面から吊り下げて支持するアンカーボルト支持具であって、地面に配置され、水平方向が調整可能に配置された基台と、前記基台と連結し、かつ該基台から下方に伸長し、アンカーボルトと接続可能な複数の棒部材と、を備え、前記棒材は、自身の長さを調整する手段を有すること特徴とするアンカーボルト支持具に関する。
【考案の効果】
【０００７】
以上説明したように、本考案では、スパイラルダクト１７を地中に挿入した後、高さ調整可能な用具１８を介し、アングル材１５と接合させてあらかじめ水平にした４本のアンカーボルト１１を挿入することによって、４本のアンカーボルト１１を水平面１４に対して垂直に埋設することが可能となり、かつ水平方向の位置の微調整も容易となった。
【図面の簡単な説明】
【０００８】
【図１】ベースプレート式街路灯の地中部分の施工例を示す断面図である。
【図２】アンカーボルトを垂直に支持しておく構造を示す断面図である。
【図３】４本のアンカーボルトを示す斜視図である。
【図４】高さ調整可能な用具を示す図である。
【図５】アンカーボルトをアングル材と高さ調整可能な用具によって水平にする構造を示す図である。
【考案を実施するための形態】
【０００９】
本考案のアンカーボルト支持具が適用されるベースプレート式柱状構造物として、限定されるものではないが、例えば街路灯、道路標識、分電盤などが含まれる。以下、本考案をベースプレート式街路灯に適用した場合を一実施形態として添付図面に基づいて詳細に説明する。図１はベースプレート式街路灯の地中部分の施工例を示す断面図、図２はアンカーボルトを垂直に支持しておく構造を示す断面図、図３は４本のアンカーボルトを示す斜視図、図４は高さ調整可能な用具を示す図、図５はアンカーボルトをアングル材と高さ調整可能な用具によって水平にする構造を示す図である。
【００１０】
図１に示すベースプレート式街路灯の地下構造を施工するためには、図３に示すあらかじめ固定された４本のアンカーボルト１１a〜ｄを、図４に示す高さ調整可能な用具１８を介して、図５のようにアングル材１５の水平方向に開いている孔と２組ずつ接合して、４本のアンカーボルト１１の上部が水平面に対して平行になるように調節しておく。
【００１１】
この実施例においては、アンカーボルト１１a及び１１ｂを一本のアングル材１５と接合しておき、同様にアンカーボルト１１ｃ及び１１ｄをもう一本のアングル材１５と接合しておく。次に掘削された地中に、外枠となるスパイラルダクト１７を挿入した後、図２に示すようにあらかじめ調節されたアンカーボルト１１を挿入する。アンカーボルト１１に接合された二本のアングル材１５の長さは、スパイラルダクト１７の径より長いため、地上で掛け渡してアンカーボルト１１を地中で吊る状態になる。二本のアングル材１５を動かすことにより、アンカーボルト１１の水平方向の最終的な位置の微調整が可能である。
【００１２】
図５のアンカーボルト１１をアングル材１５と高さ調整可能な用具１８によって水平にする構造をより具体的に説明すると、高さ調整可能な用具１８には、底面にアンカーボルト１１と螺合するねじ孔１９があり、上部にはアングル材１５の孔と螺合するボルト１６がある。２本の並列するアンカーボルト１１ａ，１１ｂを高さ調整可能な用具１８ａ，１８ｂ底面のそれぞれのねじ孔１９と螺合させ、高さ調整可能な用具１８ａ，１８ｂ上部のそれぞれのボルト１６ａ，１６ｂはアングル材１５の孔と螺合させる。次にそれぞれのアンカーボルト１１ａ，１１ｂのナット部分を手で回し、互いに位置が平行になるように調節する。
【符号の説明】
【００１３】
１１,１１a，１１ｂ，１１ｃ，１１ｄ    アンカーボルト
１２    クラッシャーラン（砕石）
１３    コンクリート
１４    水平面
１５    アングル材
１６，１６ａ，１６ｂ  ボルト
１７    スパイラルダクト（外枠）
１８，１８ａ，１８ｂ    高さ調整可能な用具
１９    ねじ孔
【図１】
0003156998.tif 000003
【図２】
0003156998.tif 000004
【図３】
0003156998.tif 000005
【図４】
0003156998.tif 000006
【図５】
0003156998.tif 000007
【手続補正書】
【提出日】平成21年11月24日(2009.11.24)
【手続補正１】
【補正対象書類名】実用新案登録請求の範囲
【補正対象項目名】全文
【補正方法】変更
【補正の内容】
【実用新案登録請求の範囲】
【請求項１】
地面に形成された穴の内部にアンカーボルトを地面から吊り下げて支持するアンカーボルト支持具であって、
地面に配置され、水平方向が調整可能に配置された基台と、
前記基台と連結し、かつ該基台から下方に伸長し、アンカーボルトと接続可能な複数の棒部材と、
を備え、
前記棒部材は、自身の長さを調整する手段を有することを特徴とするアンカーボルト支持具。
【手続補正２】
【補正対象書類名】明細書
【補正対象項目名】０００６
【補正方法】変更
【補正の内容】
【０００６】
上記課題を解決するための請求項１の考案は、地面に形成された穴の内部にアンカーボルトを地面から吊り下げて支持するアンカーボルト支持具であって、地面に配置され、水平方向が調整可能に配置された基台と、前記基台と連結し、かつ該基台から下方に伸長し、アンカーボルトと接続可能な複数の棒部材と、を備え、前記棒部材は、自身の長さを調整する手段を有することを特徴とするアンカーボルト支持具に関する。